(57)【要約】【課題】現地での作業を軽減するエスカレータリニューアル工法を提供する。【解決手段】エスカレータリニューアル工法は、解体工程Ｓ１と駆動軸側ブラケット設置工程Ｓ２と駆動部設置工程Ｓ３と従動軸側ブラケット設置工程Ｓ４と従動部設置工程Ｓ５とを有する。解体工程Ｓ１では、既設エスカレータの主枠１０と既設駆動軸２０ｘと既設従動軸３０ｘとを残して既設エスカレータの他の部品を取外す。駆動軸側ブラケット設置工程Ｓ２では、駆動軸側踏段レール支え板２２を既設駆動軸２０ｘに対して位置決めする。駆動部設置工程Ｓ３では、既設駆動軸２０ｘを取外して取替駆動軸２０を駆動軸側踏段レール支え板２２に対して位置決めする。従動軸側ブラケット設置工程Ｓ４では、従動軸側踏段レール支え板３２を既設従動軸３０ｘに対して位置決めする。従動部設置工程Ｓ５では、既設従動軸３０ｘを取外して取替従動軸３０を従動軸側踏段レール支え板３２に対して位置決めする。【選択図】      図２
2005231830.tif 000002
【特許請求の範囲】
【請求項１】
既設エスカレータの主枠を利用して組込まれる取替エスカレータにおいて、
前記既設エスカレータの主枠に取り付けられた既設駆動軸に当接する駆動軸側治具を介して位置決めされて踏段レールを支持する駆動軸側踏段レールサポートブラケットと、
前記既設エスカレータの主枠に取り付けられた既設従動軸に当接する従動軸側治具を介して位置決めされて踏段レールを支持する従動軸側踏段レールサポートブラケットと、
前記駆動軸側踏段レールサポートブラケットを前記主枠に固定して前記既設駆動軸を取外した後、前記駆動軸側治具に当接させて位置決め固定される取替駆動軸と、
前記従動軸側踏段レールサポートブラケットを前記主枠に固定して前記既設従動軸を取外した後、前記従動軸側治具に当接させて位置決め固定される取替従動軸と
を備えることを特徴とする取替エスカレータ。
【請求項２】
前記駆動軸側踏段レールサポートブラケットは、前記既設駆動軸に取り付けられた既設駆動スプロケットと前記既設駆動軸に沿う幅方向に重なり合う範囲に前記幅方向に突出量が調整される駆動端調節ボルトを備え、
前記従動軸側踏段レールサポートブラケットは、前記既設従動軸に取り付けられた既設従動スプロケットと前記既設従動軸に沿う幅方向に重なり合う範囲に前記幅方向に突出量が調整される従動端調節ボルトを備える
ことを特徴とする請求項１に記載の取替エスカレータ。
【請求項３】
前記主枠は、前記既設駆動軸に沿う方向に配置される横梁を有し、
前記駆動軸側踏段レールサポートブラケットおよび前記従動軸側踏段レールサポートブラケットは、前記横梁が通る切欠き部を備える
ことを特徴とする請求項１に記載の取替エスカレータ。
【請求項４】
既設エスカレータの主枠を利用して取替エスカレータを設置するエスカレータリニューアル工事に使用される治具であって、
取替エスカレータの取替駆動軸寄りに設けられる踏段レールを位置決めする一対の駆動軸側踏段レールサポートブラケットを互いに連結し、かつ前記主枠から取外す前の既設エスカレータの既設駆動軸に当接する駆動軸側治具と、
取替エスカレータの取替従動軸寄りに設けられる踏段レールを位置決めする一対の従動軸側踏段レールサポートブラケットを互いに連結し、かつ前記主枠から取外す前の既設エスカレータの既設従動軸に当接する従動軸側治具と
を備えることを特徴とする取替エスカレータ組立治具。
【請求項５】
前記駆動軸側治具は、前記駆動軸側踏段レールサポートブラケットを前記主枠に固定して前記既設駆動軸を取外した後、前記取替エスカレータの取替駆動軸が当接され、
前記従動軸側治具は、前記従動軸側踏段レールサポートブラケットを前記主枠に固定して前記既設従動軸を取外した後、前記取替エスカレータの取替従動軸が当接される
ことを特徴とする請求項４に記載の取替エスカレータ組立治具。
【請求項６】
前記駆動軸側治具は、前記既設駆動軸と前記取替駆動軸とで軸径が異なる場合、前記軸径の大きい大径軸に対応して形成される大径駆動軸支持部と、前記大径駆動軸支持部に装着されて前記軸径の小さい小径軸に対応して形成される小径駆動軸支持部とを備え、
前記従動軸側治具は、前記既設従動軸と前記取替従動軸とで軸径が異なる場合、前記軸径の大きい大径軸に対応して形成される大径従動軸支持部と、前記大径従動軸支持部に装着されて前記軸径の小さい小径軸に対応して形成される小径従動軸支持部とを備える
ことを特徴とする請求項５に記載の取替エスカレータ組立治具。
【請求項７】
前記駆動軸側治具は、前記大径駆動軸支持部の周囲に設けられて前記大径軸の中心を前記大径駆動軸支持部に対して変位させる大径駆動軸調整ボルトと、前記小径駆動軸支持部の周囲に設けられて前記小径軸の中心を前記小径駆動軸支持部に対して変位させる小径駆動軸調整ボルトとを備え、
前記従動軸側治具は、前記大径従動軸支持部の周囲に設けられて前記大径軸の中心を前記大径従動軸支持部に対して変位させる大径従動軸調整ボルトと、前記小径従動軸支持部の周囲に設けられて前記小径軸の中心を前記小径従動軸支持部に対して変位させる小径従動軸調整ボルトとを備える
ことを特徴とする請求項６に記載の取替エスカレータ組立治具。
【請求項８】
前記駆動軸側治具は、一対の前記駆動軸側踏段レールサポートブラケットの駆動軸寄りに配置されて前記既設駆動軸と当接する駆動軸側位置決め治具と、前記駆動軸側踏段レールサポートブラケットの従動軸寄りに配置されて前記駆動軸側踏段レールサポートブラケットの姿勢を安定させる駆動側補強治具とを有し、
前記従動軸側治具は、一対の前記従動軸側踏段レールサポートブラケットの従動軸寄りに配置されて前記既設従動軸と当接する駆動軸側位置決め治具と、前記従動軸側踏段レールサポートブラケットの駆動軸寄りに配置されて前記従動軸側踏段レールサポートブラケットの姿勢を安定させる従動側補強治具とを有している
ことを特徴とする請求項４に記載の取替エスカレータ組立治具。
【請求項９】
前記駆動軸側治具は、前記駆動軸側踏段レールサポートブラケットを前記既設駆動軸に沿う幅方向の位置を合せる位置決め罫書きを有し、
前記従動軸側治具は、前記従動軸側踏段レールサポートブラケットを前記既設従動軸に沿う幅方向の位置を合せる位置決め罫書きを有している
ことを特徴とする請求項４に記載の取替エスカレータ組立治具。
【請求項１０】
既設エスカレータの主枠と、既設駆動スプロケットが付いた状態の既設駆動軸と、既設従動スプロケットが付いた状態の既設従動軸とを残して既設エスカレータの他の部品を取外す解体工程と、
取替エスカレータの取替駆動軸寄りに設けられる踏段レールを支持する一対の駆動軸側踏段レールサポートブラケットを前記既設駆動軸に対して位置決めする駆動軸側ブラケット設置工程と、
前記既設駆動スプロケットおよび前記既設駆動軸を取外し、取替エスカレータの取替駆動軸および取替駆動スプロケットを前記駆動軸側踏段レールサポートブラケットに対して位置決めする駆動部設置工程と、
取替エスカレータの取替従動軸寄りに設けられる踏段レールを支持する一対の従動軸側踏段レールサポートブラケットを前記既設従動軸に対して位置決めする従動軸側ブラケット設置工程と、
前記既設従動スプロケットおよび前記既設従動軸を取外し、取替エスカレータの取替従動軸および取替従動スプロケットを前記従動軸側踏段レールサポートブラケットに対して位置決めする従動部設置工程と
を備えることを特徴とするエスカレータリニューアル工法。
【請求項１１】
前記駆動軸側ブラケット設置工程は、前記駆動軸側踏段レールサポートブラケットを駆動軸側位置決め治具で連結し、この駆動軸側位置決め治具を前記既設駆動軸に当接させて前記駆動軸側の踏段レールを位置決めし、
前記従動軸側ブラケット設置工程は、前記従動軸側踏段レールサポートブラケットを従動軸側位置決め治具で連結し、この従動軸側位置決め治具を前記既設従動軸に当接させて前記従動軸側の踏段レールを位置決めする
ことを特徴とする請求項１０に記載のエスカレータリニューアル工法。
【請求項１２】
前記駆動部設置工程は、前記取替駆動軸を前記駆動軸側位置決め治具に当接させて、前記取替駆動軸の心出しを行ない、
前記従動部設置工程は、前記取替従動軸を前記従動軸側位置決め治具に当接させて、前記取替従動軸の心出しを行なうことを特徴とする請求項１１に記載のエスカレータリニューアル工法。
【発明の詳細な説明】
【技術分野】
【０００１】
本発明は、既設エスカレータのリニューアル工事で新たに組込まれる取替エスカレータ、リニューアル工事で使用される取替エスカレータ組立治具、およびエスカレータリニューアル工法に関する。
【背景技術】
【０００２】
デパートやオフィスビルなど建屋内の改装工事に合せて、既設のエスカレータを新しいエスカレータに交換するリニューアル工事を行なうことがある。改装工事にともなう休業日数を少なくするために、エスカレータのリニューアル工事は、改装工事の他の工事と同様に短い工期で完了することが望まれる。
【０００３】
エスカレータは、工場出荷前に仮組みされて動作確認などが行なわれた後、現地に搬送するために分解される。現地におけるエスカレータの組立作業が煩雑であると、エスカレータの設置工事に要する工期を短縮することが難しい。現地における組立作業を軽減するために、エスカレータは、ユニット化される。また、仮組みしたときのエスカレータの組立精度を現地で再現するために、部品やユニットの取合部分を微調整する調整作業が必要である。
【０００４】
例えば、特許文献１において、エスカレータの主枠を構成するトラスの横梁は、踏段を案内するガイドレールとユニット化されている。このエスカレータは、トラスの横梁と縦梁との接合部に調整ボルトを備えている。ガイドレールは、調整ボルトを回すことによって、横梁ごと調整され、位置決めされる。エスカレータの主枠となるトラスに張り渡した糸が、位置決めの基準として使用される。
【特許文献１】特開平１０−１２７０８７号公報
【発明の開示】
【発明が解決しようとする課題】
【０００５】
リニューアル工事によって新たに設置される新規エスカレータは、既設エスカレータの主枠を利用することが多い。既設エスカレータの主枠との取合部は、既設エスカレータを解体するまで実測することができない。したがって、主枠を基準に組み立てる工法では、出荷前に工場で行なわれる仮組みにおける組立精度を現地で再現することが難しい。
【０００６】
工場での仮組み作業と現地での設置工事とにおいて同じ基準を使用できる方法として、張り渡した糸を基準にする特許文献１のような方法や、部品同士の相対位置を光学測量する方法が考えられる。これらの方法は、仮組みのときに計測された新規エスカレータの部品の個々の位置と基準との相対位置関係の測定データを基に現地で組み立てる。現地での作業環境は、工場よりも悪い。したがって、これらの方法は、工期を短縮することに対して有効な方法ではない。
【０００７】
他の方法として、取替エスカレータの部品同士の相対位置を治具によって位置決めする方法がある。しかし、この方法を用いても、取替エスカレータは、既設エスカレータの主枠に納まるように、設置位置を考慮されなければならない。最初に設置される部品は、既設の主枠に対する何らかの位置決めが必要となる。
【０００８】
そこで、本発明は、既設エスカレータをリニューアルする場合、仮組みにおける組立精度を現地で容易に再現することができる取替エスカレータ、この取替エスカレータを精度よく現地で組み立てるための取替エスカレータ組立治具、および現地での作業を軽減するエスカレータリニューアル工法を提供することを目的とする。
【課題を解決するための手段】
【０００９】
本発明に係る取替エスカレータは、既設エスカレータの主枠を利用して組み込まれることを前提とする。そして、取替エスカレータは、駆動軸側踏段レールサポートブラケットと従動軸側踏段レールサポートブラケットと取替駆動軸と取替従動軸とを備える。駆動軸側踏段レールサポートブラケットは、既設エスカレータの主枠に取り付けられた既設駆動軸に当接する駆動軸側治具を介して位置決めされて踏段レールを支持する。従動軸側踏段レールサポートブラケットは、既設エスカレータの主枠に取り付けられた既設従動軸に当接する従動軸側治具を介して位置決めされて踏段レールを支持する。取替駆動軸は、駆動軸側踏段レールサポートブラケットを主枠に固定して既設駆動軸を取外した後、駆動軸側治具に当接させて位置決め固定される。取替従動軸は、従動軸側踏段レールサポートブラケットを主枠に固定して既設従動軸を取外した後、従動軸側治具に当接させて位置決め固定される。この場合、既設駆動軸に対して駆動軸側踏段レールサポートブラケットを位置決めしやすくするため、および、駆動軸側踏段レールサポートブラケットに対して取替駆動軸を位置決めしやすくするために、駆動軸側踏段レールサポートブラケットは、既設駆動軸に取り付けられた既設駆動スプロケットと既設駆動軸に沿う幅方向に重なり合う範囲に幅方向の突出量が調整される駆動端調節ボルトを備える。また、既設従動軸に対して従動軸側踏段レールサポートブラケットを位置決めしやすくするため、および、従動軸側踏段レールサポートブラケットに対して取替従動軸を位置決めしやすくするために、従動軸側踏段レールサポートブラケットは、既設従動軸に取り付けられた既設従動スプロケットと既設従動軸に沿う幅方向に重なり合う範囲に幅方向の突出量が調整される従動端調節ボルトを備える。そして、既設エスカレータの主枠を利用し、駆動軸側踏段レールサポートブラケット及び従動軸側踏段レールサポートブラケットをそれぞれユニット化して主枠に組み込むために、駆動軸側踏段レールサポートブラケットおよび従動軸側踏段レールサポートブラケットは、取替駆動軸に沿う方向に主枠の一部として配置される横梁が通過する切欠き部を備える。
【００１０】
本発明に係る取替エスカレータ組立治具は、既設エスカレータの主枠を利用して取替エスカレータを設置するエスカレータリニューアル工事に使用されることを前提とする。取替エスカレータ組立治具は、駆動軸側治具と従動軸側治具とを備える。駆動軸側治具は、取替エスカレータの取替駆動軸寄りに設けられる踏段レールを位置決めする一対の駆動軸側踏段レールサポートブラケットを互いに連結し、かつ主枠から取外す前の既設エスカレータの既設駆動軸に当接する。従動軸側治具は、取替エスカレータの取替従動軸寄りに設けられる踏段レールを位置決めする一対の従動軸側踏段レールサポートブラケットを互いに連結し、かつ主枠から取外す前の既設エスカレータの既設従動軸に当接する。
【００１１】
また、駆動軸側治具は、駆動軸側踏段レールサポートブラケットを主枠に固定して既設駆動軸を取外した後、取替エスカレータの取替駆動軸が当接される。従動軸側治具は、従動軸側踏段レールサポートブラケットを主枠に固定して既設従動軸を取外した後、取替エスカレータの取替従動軸が当接される。この場合、各治具に汎用性を持たせるために、駆動軸側治具は、既設駆動軸と取替駆動軸とで軸径が異なる場合、軸径の大きい大径軸に対応して形成される大径駆動軸支持部と、大径駆動軸支持部に装着されて軸径の小さい小径軸に対応して形成される小径駆動軸支持部とを備える。従動軸側治具は、既設従動軸と取替従動軸とで軸径が異なる場合、軸径の大きい大径軸に対応して形成される大径従動軸支持部と、大径従動軸支持部に装着されて軸径の小さい小径軸に対応して形成される小径従動軸支持部とを備える。また、駆動軸側治具は、大径駆動軸支持部の周囲に設けられて大径軸の中心を前記大径駆動軸支持部に対して変位させる大径駆動軸調整ボルトと、小径駆動軸支持部の周囲に設けられて小径軸の中心を小径駆動軸支持部に対して変位させる小径駆動軸調整ボルトとを備える。従動軸側治具は、大径従動軸支持部の周囲に設けられて大径軸の中心を大径従動軸支持部に対して変位させる大径従動軸調整ボルトと、小径従動軸支持部の周囲に設けられて小径軸の中心を小径従動軸支持部に対して変位させる小径従動軸調整ボルトとを備える。
【００１２】
取替エスカレータの組立の作業性を向上させるために、駆動軸側治具は、一対の駆動軸側踏段レールサポートブラケットの既設駆動軸寄りに配置されて既設駆動軸と当接する駆動軸側位置決め治具と、駆動軸側踏段レールサポートブラケットの既設従動軸寄りに配置されて前記駆動軸側踏段レールサポートブラケットの姿勢を安定させる駆動側補強治具とを有する。従動軸側治具は、一対の従動軸側踏段レールサポートブラケットの既設従動軸寄りに配置されて既設従動軸と当接する従動軸側位置決め治具と、従動軸側踏段レールサポートブラケットの既設駆動軸寄りに配置されて従動軸側踏段レールサポートブラケットの姿勢を安定させる従動側補強治具とを有する。
【００１３】
または、駆動軸側治具は、駆動軸側踏段レールサポートブラケットを既設駆動軸に沿う幅方向の位置を合せる位置決め罫書きを有し、従動軸側治具は、従動軸側踏段レールサポートブラケットを既設従動軸に沿う幅方向の位置を合せる位置決め罫書きを有する。
【００１４】
本発明に係るエスカレータリニューアル工法は、解体工程と駆動軸側ブラケット設置工程と駆動部設置工程と従動軸側ブラケット設置工程と従動部設置工程とを有する。解体工程は、既設エスカレータの主枠と、既設駆動スプロケットが付いた状態の既設駆動軸と、既設従動スプロケットが付いた状態の既設従動軸とを残して既設エスカレータの他の部品を取外す。駆動軸側ブラケット設置工程は、取替エスカレータの取替駆動軸寄りに設けられる踏段レールを支持する一対の駆動軸側踏段レールサポートブラケットを既設駆動軸に対して位置決めする。駆動部設置工程は、既設駆動スプロケットおよび既設駆動軸を取外し、取替エスカレータの取替駆動軸および取替駆動スプロケットを駆動軸側踏段レールサポートブラケットに対して位置決めする。従動軸側ブラケット設置工程は、取替エスカレータの取替従動軸寄りに設けられる踏段レールを支持する一対の従動軸側踏段レールサポートブラケットを既設従動軸に対して位置決めする。従動部設置工程は、既設従動スプロケットおよび既設従動軸を取外し、取替エスカレータの取替従動軸および取替従動スプロケットを従動軸側踏段レールサポートブラケットに対して位置決めする。
【００１５】
この場合、駆動軸側ブラケット設置工程は、駆動軸側踏段レールサポートブラケットを駆動軸側治具で連結し、この駆動軸側治具を既設駆動軸に当接させて駆動軸側の踏段レールを位置決めする。従動軸側ブラケット設置工程は、従動軸側踏段レールサポートブラケットを従動軸側治具で連結し、この従動軸側治具を既設従動軸に当接させて従動軸側の踏段レールを位置決めする。また、駆動部設置工程は、取替駆動軸を駆動軸側治具に当接させて、取替駆動軸の心出しを行ない、従動部設置工程は、取替従動軸を従動軸側治具に当接させて、取替従動軸の心出しを行なう。
【発明の効果】
【００１６】
本発明に係る取替エスカレータによれば、既設エスカレータの既設駆動軸に対して駆動軸側踏段レールサポートブラケットが位置決めされ、既設エスカレータの既設従動軸に対して従動軸側踏段レールサポートブラケットが位置決めされる。既設エスカレータは、既設駆動軸と既設従動軸とが正しく位置決めされ運行されていたものである。つまり、駆動軸側踏段レールサポートブラケットおよび従動軸側踏段レールサポートブラケットは、既設駆動軸や既設従動軸に治具を当接させることで、容易に位置決めすることができる。
【００１７】
また、位置決めされた駆動側踏段レールサポートブラケットおよび従動側踏段レールサポートブラケットを固定した後、既設駆動軸および既設従動軸を取外し、これと入替えに取替駆動軸および取替従動軸を駆動軸側治具および従動軸側治具に当接させて位置決めさせる。これにより、取替駆動軸および取替従動軸は、容易に位置決めされる。
【００１８】
また、特別な基準を設けることなく、現地でのエスカレータリニューアル工事における組立作業を工場出荷前の仮組みと同じ条件で行なうことができる。したがって、現地での設置工事における組立精度を仮組みにおける組立精度と同等に再現することができる。
【００１９】
また、本発明に係る取替エスカレータ組立治具によれば、既設エスカレータの既設駆動軸に当接して駆動軸側踏段レールサポートブラケットを位置決めし、その後既設駆動軸を取外してそこへ取替駆動軸を当接させて位置決めする。また、既設エスカレータの既設従動軸に当接して従動軸側踏段レールサポートブラケットを位置決めし、その後既設従動軸を取外してそこへ取替従動軸を当接させて位置決めする。つまり、工場出荷前の仮組みのときと同じ治具を現地組立工事においても使用するので、エスカレータリニューアル工事において、組立精度を再現することが容易である。
【００２０】
本発明のエスカレータリニューアル工法によれば、既設エスカレータの主枠に取り付けられた状態の既設駆動軸および既設従動軸を基準に取替エスカレータの駆動軸側踏段レールサポートブラケットおよび従動軸側踏段レールサポートブラケットを位置決めする。そして、取替駆動軸および取替従動軸は、既設駆動軸および既設従動軸を取外した後、既に位置決めされている駆動軸側踏段レールサポートブラケットおよび従動軸側踏段レールサポートブラケットを基準に位置決めされる。
【００２１】
正しく心出しされている既設駆動軸および既設従動軸を基準に現地の設置工事が行なわれるので、施工手順が簡単であるとともに、取替エスカレータを精度よく組み立てることができる。
【発明を実施するための最良の形態】
【００２２】
本発明に係る一実施形態の取替エスカレータ１について、図１から図１０を参照して説明する。なお、エスカレータは、上階Ｕ側の形状と下階Ｌ側の形状とが対称的に作られている。そこで、本実施形態においては、上階Ｕ側に設置される駆動軸側１ｄを図に示し、下階Ｌ側に配置される従動軸側１ｓの説明を省略する。取替エスカレータ１の全体を示す模式図を図１に示す。
【００２３】
取替エスカレータ１は、主枠１０と取替駆動軸２０と取替従動軸３０と取替駆動スプロケット２１と取替従動スプロケット３１と駆動軸側踏段レール支え板（駆動軸側踏段レールサポートブラケット）２２と従動軸側踏段レール支え板（従動軸側踏段レールサポートブラケット）３２と踏段チェーン４０と踏段５０と踏段レール６０とを備える。
【００２４】
主枠１０は、上階Ｕと下階Ｌとの間に渡して設置されている。この主枠１０は、既設エスカレータの主枠を利用する。取替駆動軸２０は、主枠１０の上階Ｕ側の内部に配置される。取替駆動スプロケット２１は、取替駆動軸２０に装着されている。取替従動軸３０は、主枠１０の下階Ｌ側の内部に配置される。取替従動スプロケット３１は、取替従動軸３０に装着されている。踏段チェーン４０は、無端状に形成されて取替駆動スプロケット２１および取替従動スプロケット３１に巻掛けられ、これらを連動させる。取替駆動軸２０および取替従動軸３０は、それぞれ両端に軸受７０が装着されている。これらの軸受７０は、主枠１０の一部として設けられた縦梁１１に固定されており、図４に示すように、縦梁１１に沿って上下に微調整する軸受調整ボルト７１が下側から当っている。
【００２５】
踏段５０は、図４に示すように、踏段軸４１によって踏段チェーン４０に連結されている。踏段軸４１は、利用者が乗る利用側となる往路において、踏段５０の上階Ｕ側に配置されており、両端に第１車輪５１が取り付けられている。また、踏段５０は、往路において下階Ｌ側となる部分の両側に第２車輪５２が取り付けられている。踏段レール６０は、第１車輪５１を案内する第１レール６１と第２車輪５２を案内する第２レール６２とを有し、取替駆動スプロケット２１から取替従動スプロケット３１の間に配置される。第１レール６１および第２レール６２は、取替駆動軸２０側において駆動軸側踏段レール支え板２２に支持され、取替従動軸３０側において従動軸側踏段レール支え板３２に支持されている。
【００２６】
駆動軸側踏段レール支え板２２および従動軸側踏段レール支え板３２は、取替エスカレータ１の幅方向にそれぞれ一対に設けられている。本実施形態における幅方向とは、取替駆動軸２０または取替従動軸３０に沿う方向のことである。駆動軸側踏段レール支え板２２および従動軸側踏段レール支え板３２は、主枠１０の一部として設けられた横梁１２が通る切欠き部２３，３３を備えている。
【００２７】
次に、既設エスカレータを取替エスカレータ１に新しくするエスカレータリニューアル工法、および、このときに用いられる取替エスカレータ組立治具について説明する。取替エスカレータ１は、工場出荷前に仮組みされる。この際、主枠１０は、既設エスカレータに相当する架台などが使用される。一対の駆動軸側踏段レール支え板２２は、図２に示すように、駆動軸側治具１１０によって互いに連結される。一対の従動軸側踏段レールサポートも同様に従動軸側治具によって互いに連結される。
【００２８】
以降、駆動軸側治具１１０と従動軸側治具との構成は同じであるので、本実施形態中においては、駆動軸側治具１１０のみの説明とし、従動軸側治具についての説明は、「駆動軸側治具」を「従動軸側治具」と読み替えるものとする。これにともない、「上階」、「下階」、「駆動軸寄り」「従動軸寄り」なども適宜読み替えるものとする。
【００２９】
駆動軸側治具１１０は、図２に示すように駆動軸側位置決め治具１１１と駆動側補強治具１１２とを備える。駆動軸側位置決め治具１１１は、駆動軸側踏段レール支え板２２の駆動軸寄りに配置されている。駆動側補強治具１１２は、駆動軸側踏段レール支え板２２の従動軸寄りに配置されている。駆動軸側位置決め治具１１１および駆動側補強治具１１２は、それぞれ駆動軸側踏段レール支え板２２に接合されるプレート１１１ａ，１１２ａとこのプレート１１１ａ，１１２ａどうしの間に取り付けられるロッド１１１ｂ，１１２ｂとを備える。ロッド１１１ｂ，１１２ｂの途中には、既設駆動軸２０ｘに向かって伸びるアーム１１１ｃが設けられている。
【００３０】
また、ロッド１１１ｂ，１１２ｂの幅方向に中心となる部分に位置決め罫書１１１ｄ，１１２ｄが施されている。この位置決め罫書１１１ｄ，１１２ｄは、駆動軸側治具１１０によって一対に組まれた駆動軸側踏段レール支え板２２の幅方向の位置を合せる目安として用いられる。したがって、ロッド１１１ｂ，１１２ｂの中心に無くても良い。
【００３１】
駆動軸側踏段レール支え板２２は、既設駆動スプロケット２１ｘと幅方向に重なり合う範囲に駆動端調整ボルト８１を備える。駆動端調整ボルト８１は、幅方向に突出量を調節することで、既設駆動スプロケット２１ｘと迫合い、駆動軸側踏段レール支え板２２を幅方向に位置決め調整する。
【００３２】
アーム１１１ｃの先端には、図８に示すように大径駆動軸支持部１１３と小径駆動軸支持部１１４とを備える。大径駆動軸支持部１１３は、既設駆動軸２０ｘと取替駆動軸２０とで軸径が異なる場合、図１０に示すように、軸径の大きいい大径軸２０Ｌに対応して形成されている。小径駆動軸支持部１１４は、図９に示すように、大径駆動軸支持部１１３にボルト１１５ａで装着されたアダプタ１１５に形成され、既設駆動軸２０ｘと取替駆動軸２０とで軸径が小さい小径軸２０Ｓに対応している。本実施形態においては、取替駆動軸２０の方が軸径が大きく設定されていることを前提として以降の説明を行なう。したがって、大径軸２０Ｌには、取替駆動軸２０が対応し、小径軸２０Ｓには、既設駆動軸２０ｘが対応する。
【００３３】
図１０に示すように、駆動軸側治具１１０において、大径駆動軸支持部１１３は、大径駆動軸調整ボルト１１３ａ，１１３ｂが周囲に設けられている。大径駆動軸調整ボルト１１３ａは、取替駆動軸２０の中心を大径駆動軸支持部１１３に対して水平な方向に変位させる。大径駆動軸調整ボルト１１３ｂは、取替駆動軸２０の中心を大径駆動軸支持部１１３に対して鉛直な方向に変位させる。図９に示すように、小径駆動軸支持部１１４は、小径駆動軸調整ボルト１１４ａ，１１４ｂが周囲に設けられている。図９において、小径駆動軸調整ボルト１１４ａは、既設駆動軸２０ｘの中心を小径駆動軸支持部１１４に対して鉛直な方向に変位させる。小径駆動軸調整ボルト１１４ｂは、既設駆動軸２０ｘの中心を小径駆動軸支持部１１４に対して水平な方向に変位させる。
【００３４】
大径駆動軸調整ボルト１１３ａ，１１３ｂは、工場出荷前に仮組みしたときに調節されて、取替駆動軸２０と駆動軸側踏段レール支え板２２との位置決めを行なう。小径駆動軸調整ボルト１１４ａ，１１４ｂは、現地で既設駆動軸２０ｘに対して駆動軸側踏段レール支え板２２を位置決めする際に調整される。
【００３５】
次に、エスカレータリニューアル工事の手順について説明する。取替エスカレータ１は、取替駆動軸２０と駆動軸側踏段レール支え板２２との位置合せが出荷前の仮組みの段階で行なわれている。取替駆動軸２０と駆動軸側踏段レール支え板２２との相対位置決めが完了した後、大径駆動軸調整ボルト１１３ａ，１１３ｂは、取替駆動軸２０に接する状態に調節されてその位置を保持するように固定される。ダブルナット構造で緩まないように固定することが好ましい。
【００３６】
取替従動軸３０と従動軸側踏段レール支え板３２とについても心出し位置決めが同様に行なわれる。取替エスカレータ１は、許容される組立精度が仮組みによって確認されると、分解されて現地へ向けて出荷される。
【００３７】
現地工事のエスカレータリニューアル工法は、解体工程Ｓ１と駆動軸側ブラケット設置工程Ｓ２と駆動部設置工程Ｓ３と従動軸側ブラケット設置工程Ｓ４と従動部設置工程Ｓ５とを有している。解体工程Ｓ１では、主枠１０と、既設駆動スプロケット２１ｘが装着された状態の既設駆動軸２０ｘと、既設従動スプロケット３１ｘが装着された状態の既設従動軸３０ｘとを残して、既設エスカレータの他の部品が取除かれる。
【００３８】
駆動軸側ブラケット設置工程Ｓ２では、駆動軸側踏段レール支え板２２を既設駆動軸２０ｘに対して位置決めする。駆動軸側ブラケット設置工程Ｓ２において、駆動軸側踏段レール支え板２２は、駆動軸側治具１１０によって一対に連結されている。駆動軸側治具１１０のアーム１１１ｃの先端に形成された大径駆動軸支持部１１３には、小径駆動軸支持部１１４が形成されたアダプタ１１５が装着されている。このアダプタ１１５は、工場出荷前の心出し調整後、駆動軸側ブラケット設置工程Ｓ２までの間に取り付けられる。
【００３９】
駆動軸側踏段レール支え板２２は、簡易クレーンやチェーンブロックなどによって吊下げられ、主枠１０内に下ろされる。既設駆動軸２０ｘの外周面に対して小径駆動軸調整ボルト１１４ａ，１１４ｂを調整するとともに既設駆動スプロケット２１ｘの側面に対して駆動端調整ボルト８１を調整することによって、駆動軸側踏段レール支え板２２は、既設駆動軸２０ｘに対して位置決めされる。駆動軸側踏段レール支え板２２は、位置決めが完了すると、横梁１２との間にスペーサやシムプレートを挟み高さを調節され、主枠１０に固定される。
【００４０】
駆動部設置工程Ｓ３では、アダプタ１１５が取外され、既設駆動軸２０ｘが既設駆動スプロケット２１ｘとともに主枠１０の縦梁１１から既設の軸受７０ごと取外される。既設駆動軸２０ｘを取外したところへ取替駆動軸２０を設置する。この場合、取替駆動軸２０には、取替駆動スプロケット２１と取替駆動軸２０を支持する新しい軸受７０が先に両端に取り付けられている。
【００４１】
取替駆動軸２０は、外周面が駆動軸側治具１１０のアーム１１１ｃに設けられた大径駆動軸調整ボルト１１３ａ，１１３ｂに当接するように設置される。大径駆動軸調整ボルト１１３ａ，１１３ｂは、工場出荷前に取替駆動軸２０に対して位置決めされているので、この大径駆動軸調整ボルト１１３ａ，１１３ｂに取替駆動軸２０を当接させることで容易に心出しができる。なお、軸受７０を縦梁１１に固定する際は、大径駆動軸調整ボルト１１３ａに取替駆動軸２０が当接するように、軸受７０と縦梁１１との間にシムプレートなどのスペーサを挿入し、大径駆動軸調整ボルト１１３ｂに取替駆動軸２０が当接するように、軸受７０を軸受調整ボルト７１で調整する。
【００４２】
従動軸側ブラケット設置工程Ｓ４および従動部設置工程Ｓ５は、駆動軸側ブラケット設置工程Ｓ２および駆動部設置工程Ｓ３と同じ手順で行なわれる。また、図１１に示すように、駆動軸側ブラケット設置工程Ｓ２および駆動部設置工程Ｓ３と、従動軸側ブラケット設置工程Ｓ４および従動部設置工程Ｓ５とは、どちらかを先行して行なっても良いし、並行作業で行なうと工期の短縮を図ることができる。
【００４３】
駆動部設置工程Ｓ３と従動部設置工程Ｓ５が完了した後、主枠１０への組込時に横梁１２をかわすために別体にして用意されていた復路側の踏段レールをそれぞれ装着する。その後、駆動軸側治具１１０および従動軸側治具は、取外される。そして、取替エスカレータ１は、踏段および踏段チェーンが組み込まれ、調整試運転が行なわれる。
【００４４】
以上のように、本発明に係るエスカレータリニューアル工法は、それまで運行されていた既設エスカレータの既設駆動軸および既設従動軸を基準に、取替駆動軸側踏段レールサポートブラケットおよび取替従動軸側レールサポートブラケットを位置決めし、さらにこれらを基準に取替駆動軸および取替従動軸を設置する。したがって、取替エスカレータの心出し調整が容易であるとともに、現地での作業が簡単である。
【図面の簡単な説明】
【００４５】
【図１】本発明に係る一実施形態の取替エスカレータを模式的に示す断面図。
【図２】図１に示した取替エスカレータの上階側に設置される駆動軸側踏段レールサポートブラケットを既設駆動軸に駆動軸側治具を介して位置決めした状態を一部透視して示す斜視図。
【図３】図２に示した取替エスカレータの上階側の断面図。
【図４】図２に示した取替エスカレータの上階側の正面図。
【図５】図４に示した駆動軸側踏段レール支え板および駆動スプロケットの一部の拡大図。
【図６】図５に示した駆動軸側踏段レール支え板および駆動スプロケットの側面図。
【図７】図２に示した取替エスカレータの上階側の部分拡大図。
【図８】図２に示した駆動軸側治具の大径駆動軸支持部および小径駆動軸支持部を示す分解斜視図。
【図９】図８に示した駆動軸側治具と既設駆動軸との当接部の側面図。
【図１０】図８に示した駆動軸側治具と取替駆動軸との当接部の側面図。
【図１１】本発明に係るエスカレータリニューアル工法の主要な工程を示すフローチャート。
【符号の説明】
【００４６】
１…取替エスカレータ、１０…主枠、２０…取替駆動軸、２０ｘ…既設駆動軸、２１…取替駆動スプロケット、２１ｘ…既設駆動スプロケット、２２…駆動軸側踏段レール支え板（駆動軸側踏段レールサポートブラケット）、３０…取替従動軸、３０ｘ…既設従動軸、３１…取替従動スプロケット、３１ｘ…既設従動スプロケット、３２…従動軸側踏段レール支え板（従動軸側踏段レールサポートブラケット）、６０…踏段レール、８１…駆動端調整ボルト、１１０…駆動軸側治具（取替エスカレータ組立治具）、１１１…駆動軸側位置決め治具、１１２…駆動側補強治具、１１３…大径駆動軸支持部、１１３ａ，１１３ｂ…大径駆動軸調整ボルト、１１４…小径駆動軸支持部、１１４ａ，１１４ｂ…小径駆動軸調整ボルト、Ｓ１…解体工程、Ｓ２…駆動軸側ブラケット設置工程、Ｓ３…駆動部設置工程、Ｓ４…従動軸側ブラケット設置工程、Ｓ５…従動部設置工程。
【図１】
2005231830.tif 000003
【図２】
2005231830.tif 000004
【図３】
2005231830.tif 000005
【図４】
2005231830.tif 000006
【図５】
2005231830.tif 000007
【図６】
2005231830.tif 000008
【図７】
2005231830.tif 000009
【図８】
2005231830.tif 000010
【図９】
2005231830.tif 000011
【図１０】
2005231830.tif 000012
【図１１】
2005231830.tif 000013